(57)【要約】【課題】複数の主タンクと副タンクとを避圧空間として利用でき、かつ、構造の簡素化とコンパクト化を図ることができる分割形静止誘導電器を提供することである。【解決手段】実施形態の分割形静止誘導電器は、複数の静止誘導電器本体と、複数の主タンクと、少なくとも負荷時タップ切換器を含む付属機器と、副タンクと、を持つ。静止誘導電器本体は、鉄心と巻線を有する。主タンクは、静止誘導電器本体を絶縁媒体とともに内部に収容する。付属機器は、各静止誘導電器本体にタップリードを介して接続されている。副タンクは、付属機器を絶縁媒体とともに収容する。複数の主タンクは略直線状に並んで配列されている。並び方向で隣接する主タンク同士は、絶縁媒体の流通が可能な主タンク連結ダクトを介して連結されている。副タンクは、絶縁媒体の流通が可能な副タンク連結ダクトを介して、並び方向の中央領域の主タンクに接続されている。【選択図】図１
2018056326.tif 000002
【特許請求の範囲】
【請求項１】
鉄心と巻線を有する複数の静止誘導電器本体と、
各前記静止誘導電器本体を絶縁媒体とともに内部に収容する複数の主タンクと、
各前記静止誘導電器本体にタップリードを介して接続された少なくとも負荷時タップ切換器を含む付属機器と、
前記付属機器を絶縁媒体とともに収容する副タンクと、を備え、
複数の前記主タンクは略直線状に並んで配列され、
並び方向で隣接する前記主タンク同士は、前記絶縁媒体の流通が可能な主タンク連結ダクトを介して連結されており、
前記副タンクは、前記絶縁媒体の流通が可能な副タンク連結ダクトを介して、並び方向の中央領域の前記主タンクに接続されている分割形静止誘導電器。
【請求項２】
各前記静止誘導電器本体は、前記鉄心の厚み方向と直交する前記鉄心の延在方向が、複数の前記主タンクの配列方向に沿う方向を向くように、対応する前記主タンクの内部に配置されている請求項１に記載の分割形静止誘導電器。
【請求項３】
各前記巻線の内部に冷却媒体を流すための冷媒配管を備え、
前記冷媒配管は、各前記静止誘導電器本体の前記鉄心の前記延在方向に沿わせて配管されている請求項２に記載の分割形静止誘導電器。
【請求項４】
前記冷媒配管は、前記主タンク連結ダクトの内部に挿通されて配管されている請求項３に記載の分割形静止誘導電器。
【請求項５】
前記主タンク連結ダクトは、延出方向の中途部、若しくは、前記主タンクとの連接部が締結部材によって脱着可能に結合されている請求項１〜４のいずれか１項に記載の分割形静止誘導電器。
【発明の詳細な説明】
【技術分野】
【０００１】
本発明の実施形態は、分割形静止誘導電器に関する。
【背景技術】
【０００２】
近年の電力需要の増加により、変圧器やリアクトル等の静止誘導電器は、大容量・高電圧化が要求され、大型化が進んでいる。一方、近年の都市近郊における用地取得の困難性から、例えば、変電所を地下に建設することが増えてきている。地下変電所に静止誘導電器を設置するような場合には、輸送時や地下への吊り下し時等の作業性を考慮すると、静止誘導電器の重量や寸法が大幅に制約されることになる。
【０００３】
これに対処するため、分割形静止誘導電器が案出されている。
分割形静止誘導電器は、分解と組み立てが可能な複数のブロックによって構成されており、設置場所には各ブロックが分解状態で搬送され、設置場所で各ブロックが組み立てられるようになっている。
【０００４】
この分割形静止誘導電器は、鉄心と巻線を有する静止誘導電器本体が複数に分割され、分割された各静止誘導電器本体が対応する主タンクに絶縁油等の絶縁媒体とともに収容されている。各主タンク内の巻線には巻線上の通電位置を切り換えるための複数のタップが設けられており、各タップに接続されたタップリードが外部に引き出されている。外部に引き出された各タップリードは、別ブロックの副タンク内に収容された負荷時タップ切換器や負荷時電圧調整器等の付属機器に接続されている。複数の主タンクと副タンクは相間接続ダクトによって相互に接続されている。各主タンク内の巻線の複数のタップと副タンク内の付属機器を接続するタップリードは、相間接続ダクトの内部に挿通されて配線されている。また、相間接続ダクトには、温度変化に伴う絶縁媒体の容積変化を受容するためにコンサベータが接続されている。
【０００５】
ところで、この種の分割形静止誘導電器においては、何等かの異常によって絶縁媒体の圧力が急激に上昇したときに、主タンクの一部での絶縁媒体の急激な圧力上昇を抑制する必要がある。この対策としては、急激に上昇した絶縁媒体の圧力を逃がすための避圧空間をコンサベータに設けたものが知られている。
【０００６】
近年、これとは別に、隣接する主タンク同士を絶縁媒体の流通が可能な主タンク連結ダクトによって連結するとともに、配列方向の端部に配置されている主タンクと副タンクとを絶縁媒体の流通が可能な副タンク連結ダクトによって連結したものが案出されている。この分割形静止誘導電器においては、隣接する主タンクや副タンクの内部空間を避圧空間として利用することができる。
【０００７】
この分割形静止誘導電器の場合、負荷時タップ切換器や負荷時電圧調整器等の付属機器に接続された複数のタップリードが副タンク連結ダクトを通して各主タンクの内部の巻線に接続されることになる。しかし、静止誘導電器本体の分割数や各巻線のタップ数が多い場合には、タップリードの総数が多くなるうえタップリードの延出長さも長くなるため、副タンクから各主タンクにタップリードを引き回すための専用のダクトを追加せざるを得ない。このため、分割形静止誘導電器の構造が複雑になるうえに、全体が大型化する可能性が考えられる。
【先行技術文献】
【特許文献】
【０００８】
【特許文献１】特開昭５３−６８８２２号公報
【特許文献２】特開平９−３１２２１６号公報
【発明の概要】
【発明が解決しようとする課題】
【０００９】
本発明が解決しようとする課題は、複数の主タンクと副タンクとを避圧空間として利用でき、かつ、構造の簡素化とコンパクト化を図ることができる分割形静止誘導電器を提供することである。
【課題を解決するための手段】
【００１０】
実施形態の分割形静止誘導電器は、複数の静止誘導電器本体と、複数の主タンクと、少なくとも負荷時タップ切換器を含む付属機器と、副タンクと、を持つ。静止誘導電器本体は、鉄心と巻線を有する。主タンクは、静止誘導電器本体を絶縁媒体とともに内部に収容する。付属機器は、各静止誘導電器本体にタップリードを介して接続されている。副タンクは、付属機器を絶縁媒体とともに収容する。複数の主タンクは略直線状に並んで配列されている。並び方向で隣接する主タンク同士は、絶縁媒体の流通が可能な主タンク連結ダクトを介して連結されている。副タンクは、絶縁媒体の流通が可能な副タンク連結ダクトを介して、並び方向の中央領域の主タンクに接続されている。
【図面の簡単な説明】
【００１１】
【図１】第１の実施形態の分割形静止誘導電器を示す平面図。
【図２】第１の実施形態の分割形静止誘導電器を示す正面図。
【図３】第１の実施形態の分割形静止誘導電器の一変形例を示す正面図。
【図４】第１の実施形態の分割形静止誘導電器の別の変形例を示す正面図。
【図５】第１の実施形態の分割形静止誘導電器のさらに別の変形例を示す正面図。
【図６】第２の実施形態の分割形静止誘導電器を示す平面図。
【図７】第２の実施形態の分割形静止誘導電器を示す正面図。
【図８】第３の実施形態の分割形静止誘導電器を示す正面図。
【図９】第４の実施形態の分割形静止誘導電器を示す正面図。
【発明を実施するための形態】
【００１２】
以下、実施形態の分割形静止誘導電器を、図面を参照して説明する。
【００１３】
（第１の実施形態）
図１は、第１の実施形態の分割形静止誘導電器１の一部の部品を取り去った平面図であり、図２は、分割形静止誘導電器１の正面図である。
分割形静止誘導電器１は、鉄心１１と巻線１２を有する三つの静止誘導電器本体１０Ａ，１０Ｂ，１０Ｃを備えている。鉄心１１は、例えば、複数の電磁鋼板を積層した積層鉄心によって構成されている。鉄心１１は、コイル巻回部１１ａを有し、そのコイル巻回部１１ａに複数次（例えば、二次）の巻線１２が巻回されている。鉄心１１のコイル巻回部１１ａは、設置時に巻線１２の軸が鉛直方向を指向するように形成されている。各静止誘導電器本体１０Ａ，１０Ｂ，１０Ｃの巻線１２には、巻線１２上の通電位置を切り換えるための複数のタップ（不図示）が設けられている。また、各静止誘導電器本体１０Ａ，１０Ｂ，１０Ｃは、絶縁油等の絶縁媒体とともに略直方体状の対応する主タンク１３Ａ，１３Ｂ，１３Ｃの内部に収容されている。
【００１４】
また、分割形静止誘導電器１は、負荷時タップ切換器や負荷時電圧調整器（一部に負荷時タップ切換器を含む。）等の電圧調整のための付属機器１４をさらに備えている。付属機器１４は、各主タンク１３Ａ，１３Ｂ，１３Ｃ内の巻線１２上の各タップに対してタップリード１５Ａ，１５Ｂ，１５Ｃによって接続されている。なお、図面においては、図示都合上各タップリード１５Ａ，１５Ｂ，１５Ｃが一本の線で描かれているが、各主タンク１３Ａ，１３Ｂ，１３Ｃ内のタップに接続されるタップリード１５Ａ，１５Ｂ，１５Ｃは複数本とされている。また、付属機器１４は、絶縁油等の絶縁媒体とともに略直方体状の副タンク１６の内部に収容されている。
【００１５】
また、３つの主タンク１３Ａ，１３Ｂ，１３Ｃは、図２に示すように、それぞれ接続ダクト１７Ａ，１７Ｂ，１７Ｃを介してコンサベータ１８に接続されている。本実施形態においては、コンサベータ１８は、３つの主タンク１３Ａ，１３Ｂ，１３Ｃの上方に跨って配置されている。なお、図１においては、コンサベータ１８と接続ダクト１７Ａ，１７Ｂ，１７Ｃの図示は省略されている。
【００１６】
３つの主タンク１３Ａ，１３Ｂ，１３Ｃは、設置状態において、各主タンク１３Ａ，１３Ｂ，１３Ｃがほぼ一直線状に並ぶように配列されている。各主タンク１３Ａ，１３Ｂ，１３Ｃの側壁には主タンク連結ダクト１９が突設されており、隣接する主タンク同士が主タンク連結ダクト１９を介して相互に連結されている。主タンク連結ダクト１９の先端部には、接合フランジ１９ａが設けられており、主タンク連結ダクト１９同士は接合フランジ１９ａ部分で接合されている。また、各主タンク１３Ａ，１３Ｂ，１３Ｃに突設された主タンク連結ダクト１９は、設置状態において、一直線状に並ぶように形成されている。なお、各主タンク１３Ａ，１３Ｂ，１３Ｃ内に収容される静止誘導電器本体１０Ａ，１０Ｂ，１０Ｃは、設置状態で鉄心１１の厚み方向と直交する鉄心１１の延在方向が、主タンク１３Ａ，１３Ｂ，１３Ｃの配列方向と直交する方向を向くように配置されている。
【００１７】
主タンク連結ダクト１９は、隣接する主タンク間の絶縁媒体の自由な流通を許容する部材であるが、その内部には、隣接する静止誘導電器本体１０Ａ，１０Ｂ，１０Ｃ間を接続する接続リード（不図示）や、タップリード１５Ａ，１５Ｂ，１５Ｃが挿通されている。
【００１８】
副タンク１６は、３つの主タンク１３Ａ，１３Ｂ，１３Ｃの並び方向の中央に位置されている主タンク１３Ｂの側方位置（前記並び方向と直交する側方位置）に配置されている。副タンク１６と中央の主タンク１３Ｂの各側壁には、副連結ダクト２０，２１が突設されており、副タンク１６と中央の主タンク１３Ｂとは、副タンク連結ダクト２０，２１を介して相互に連結されている。副タンク連結ダクト２０の先端部には、接合フランジ２０ａが設けられており、副タンク連結ダクト２０同士は接合フランジ２０ａ部分で接合されている。同様に、副タンク連結ダクト２１の先端部には、接合フランジ２１ａが設けられており、副タンク連結ダクト２１同士は接合フランジ２１ａ部分で接合されている。
副タンク連結ダクト２０，２１は、主タンク１３Ａ，１３Ｂ，１３Ｃの並び方向の前後に離間して配置されている。本実施形態の場合、一方の副タンク連結ダクト２０は他方の副タンク連結ダクト２１よりも大径に形成されている。
【００１９】
副タンク連結ダクト２０，２１は、副タンク１６と主タンク１３Ｂの間の絶縁媒体の自由な流通を許容する部材であるが、一方の副タンク連結ダクト２０には、タップリード１５Ａ，１５Ｂが挿通され、他方の副タンク連結ダクト２１には、タップリード１５Ｃが挿通されている。一方の副タンク連結ダクト２０に挿通されたタップリード１５Ａは、中央の主タンク１３Ｂの内部空間と主タンク連結ダクト１９を経由して、一端側の主タンク１３Ａ内の巻線１２の対応するタップに接続されている。また、一方の副タンク連結ダクト２０に挿通されたタップリード１５Ｂは、中央の主タンク１３Ｂの内部の巻線１２の対応するタップに接続されている。また、他方の副タンク連結ダクト２１に挿通されたタップリード１５Ｃは、中央の主タンク１３Ｂの内部空間と主タンク連結ダクト１９を経由して、他端側の主タンク１３Ｃ内の巻線１２の対応するタップに接続されている。
【００２０】
本実施形態の分割形静止誘導電器１は、内部に静止誘導電器本体１０Ａ，１０Ｂ，１０Ｃを収容した各主タンク１３Ａ，１３Ｂ，１３Ｃと、内部に付属機器１４を収容した副タンク１６と、コンサベータ１８と、を分解状態で設置場所まで搬送し、これらを設置場所にて組み立てることができる。設置場所で組み立てられた分割形静止誘導電器１は、上述のようにタップリード１５Ａ，１５Ｂ，１５Ｃが配線された後に内部に絶縁媒体が充填される。
【００２１】
以上のように、本実施形態の分割形静止誘導電器１は、主タンク１３Ａ，１３Ｂ，１３Ｃが直線状に並んで配列され、隣接する主タンク同士が絶縁媒体の流通が可能な主タンク連結ダクト１９によって連結され、副タンク１６が絶縁媒体の流通が可能な副タンク連結ダクト２０を介して中央の主タンク１３Ｂに連結されている。このため、何等かの原因によって絶縁媒体の圧力が急激に上昇したときに、主タンク１３Ａ，１３Ｂ，１３Ｃと副タンク１６とを避圧空間として利用することができる。したがって、一つ当たりの内部容積の小さい主タンク１３Ａ，１３Ｂ，１３Ｃや副タンク１６の一部に急激な負荷が作用するのを抑制することができる。
【００２２】
加えて、本実施形態の分割形静止誘導電器１は、付属機器１４からタップリード１５Ａ，１５Ｂ，１５Ｃが引き出される副タンク１６が、副タンク連結ダクト２０，２１を介して、並び方向の中央の主タンク１３Ｂに接続されている。このため、副タンク１６が端部の主タンク１３Ａや１３Ｃに接続される場合に比較して、タップリード１５Ａ，１５Ｂ，１５Ｃの延出長さを短くすることができるとともに、タップリード１５Ａ，１５Ｂ，１５Ｃが重なって集約される領域を少なくすることができる。このため、付属機器１４から引き出されるタップリード１５Ａ，１５Ｂ，１５Ｃの本数が多い場合であっても、主タンク１３Ａ，１３Ｂ，１３Ｃと主タンク連結ダクト１９の内部にタップリード１５Ａ，１５Ｂ，１５Ｃをコンパクトに配線することができる。したがって、本実施形態の分割形静止誘導電器１を採用した場合、付属機器１４と、各主タンク１３Ａ，１３Ｂ，１３Ｃ内の巻線１２のタップとを接続するための専用の接続ダクトを追加する必要がないため、全体構造の簡素化とコンパクト化を図ることができる。
【００２３】
なお、以上では三つの静止誘導電器本体１０Ａ，１０Ｂ，１０Ｃを備えた分割形静止誘導電器１について説明したが、静止誘導電器本体の分割数は三つに限らず、図３に示す変形例のように二つであっても良い。この変形例の場合、副タンク１６は、二つの静止誘導電器本体１０Ａ，１０Ｂの並び方向の中央寄り領域に、それぞれ副タンク連結ダクト２１を介して接続されている。
さらに、静止誘導電器本体の分割数は、図４に示す変形例のように４つであっても良い。この変形例は、主タンク連結ダクト１９によって連結される二対の主タンク１３Ａ，１３Ｂと、１３Ｃ，１３Ｄが副タンク１６を間に挟む両側に配置され、副タンク１６が主タンク１３Ａ，１３Ｂと、１３Ｃ，１３Ｄの各対の並び方向の中央寄り領域に副タンク連結ダクト２１を介して接続されている。
また、静止誘導電器本体の分割数は、図５に示す変形例のように６つであっても良い。この変形例の場合、主タンク連結ダクト１９によって連結される主タンク１３Ａ，１３Ｂ，１３Ｃの組と，主タンク１３Ｄ，１３Ｅ，１３Ｆの組が副タンク１６を間に挟む両側に配置され、副タンク１６が、各組の並び方向中央の主タンク１３Ｂ，１３Ｅに副タンク連結ダクト２０，２１を介して接続されている。
なお、図３〜図５に示す各変形例においては、図１，図２と同一部分に共通符号を付してある。
【００２４】
（第２の実施形態）
図６は、第２の実施形態の分割形静止誘導電器１０１の一部の部品を取り去った平面図であり、図７は、分割形静止誘導電器１０１の正面図である。
本実施形態の分割形静止誘導電器１０１は、基本的な構成は第１の実施形態と同様とされている。第１の実施形態と同一部分には共通符号を付して説明を省略する。
【００２５】
本実施形態の分割形静止誘導電器１０１は、第１の実施形態と同様に各主タンク１３Ａ，１３Ｂ，１３Ｃ内に対応する静止誘導電器本体１０Ａ，１０Ｂ，１０Ｃが絶縁媒体とともに収容されている。ただし、各静止誘導電器本体１０Ａ，１０Ｂ，１０Ｃは、設置状態において、鉄心１１の厚み方向と直交する鉄心１１の延在方向が、主タンク１３Ａ，１３Ｂ，１３Ｃの配列方向に沿う方向を向くように配置されている。各主タンク１３Ａ，１３Ｂ，１３Ｃ内に配置されている鉄心１１は、主タンク１３Ａ，１３Ｂ，１３Ｃが組み付けられた状態において、上面視ですべてが一列に直線状に並ぶようになっている。
本実施形態の場合、各主タンク１３Ａ，１３Ｂ，１３Ｃ内の巻線１２同士を接続する中性点リード３５は、各鉄心１１の下部領域において、鉄心１１の延在方向に沿って配置されている。中性点リード３５は、隣接する主タンク１３Ａ，１３Ｂ，１３Ｃ間においては、主タンク連結ダクト１９の内部に挿通されている。
【００２６】
各主タンク１３Ａ，１３Ｂ，１３Ｃの下部領域には、各主タンク１３Ａ，１３Ｂ，１３Ｃ内の巻線１２の内部に冷却液等の冷却媒体を流すための一対の冷却配管３０Ａ，３０Ｂが貫通状態で配置されている。冷却配管３０Ａ，３０Ｂは、各主タンク１３Ａ，１３Ｂ，１３Ｃ内の鉄心１１の延在方向の両側に近接して配置されている。冷却配管３０Ａ，３０Ｂは、各主タンク１３Ａ，１３Ｂ，１３Ｃ内の巻線１２の下方で、かつ鉄心１１の下部片の側方領域に配置されている。また、冷却配管３０Ａ，３０Ｂは、隣接する主タンク１３Ａ，１３Ｂ，１３Ｃの間においては、主タンク連結ダクト１９の外部に配置されている。なお、冷却配管３０Ａ，３０Ｂには、各巻線１２内に冷却媒体を供給するための供給口３１ａ，３１ｂが設けられている。また、各主タンク１３Ａ，１３Ｂ，１３Ｃの上部領域には、各巻線１２を冷却した冷却媒体を冷却器（図示せず）に戻すための不図示の戻し配管が配置されている。
【００２７】
本実施形態の分割形静止誘導電器１０１は、第１の実施形態と同様の基本的な効果を得ることができるうえ、隣接する主タンク１３Ａ，１３Ｂ，１３Ｃを経由して各主タンク１３Ａ，１３Ｂ，１３Ｃ内の巻線１２に接続される中性点リード３５のような配線を容易に配置できるという効果を奏する。即ち、本実施形態の分割形静止誘導電器１０１は、鉄心１１の厚み方向と直交する鉄心１１の延在方向が、主タンク１３Ａ，１３Ｂ，１３Ｃの配列方向に沿う方向を向くように、静止誘導電器本体１０Ａ，１０Ｂ，１０Ｃが配置されている。このため、中性点リード３５のような配線を各鉄心１１の延在方向に沿わせて容易に配線することができる。したがって、この構成を採用した場合には、配線の経路が短距離かつ単純となり、配線作業も容易となる。
【００２８】
さらに、本実施形態の分割形静止誘導電器１０１は、各鉄心１１の延在方向が主タンク１３Ａ，１３Ｂ，１３Ｃの配列方向に沿う方向を向き、巻線１２に冷却媒体を流すための冷却配管３０Ａ，３０Ｂが各鉄心１１の延在方向に沿うように配管されている。このため、冷却配管３０Ａ，３０Ｂをすべての主タンク１３Ａ，１３Ｂ，１３Ｃに亘ってほぼ直線状に配置することができる。したがって、この構成を採用することにより、冷却配管３０Ａ，３０Ｂの設置の容易化と、冷却配管３０Ａ，３０Ｂの構造の単純化及び軽量化を図ることができる。
【００２９】
（第３の実施形態）
図８は、第３の実施形態の分割形静止誘導電器２０１の正面図である。
本実施形態の分割形静止誘導電器２０１は、基本的な構成は第２の実施形態と同様とされている。第１，第２の実施形態と同一部分には共通符号を付して説明を省略する。
本実施形態の分割形静止誘導電器２０１は、第２の実施形態と同様に、中性点リード３５と冷却配管３０Ａ，３０Ｂとを有している。ただし、本実施形態の場合、隣接する主タンク１３Ａ，１３Ｂ，１３Ｃを連結する主タンク連結ダクト１９の内部の開口面積が大きく設定されており、冷却配管３０Ａ，３０Ｂが主タンク連結ダクト１９の内部に挿通されている。
【００３０】
本実施形態の分割形静止誘導電器２０１は、第２の実施形態と同様の効果を奏するうえ、冷却配管３０Ａ，３０Ｂが主タンク連結ダクト１９の内部に挿通されていることから、第２の実施形態の構造に比較して製造や設計が容易になる、という利点がある。即ち、本実施形態の分割形静止誘導電器２０１の場合、冷却配管３０Ａ，３０Ｂを各主タンク１３Ａ，１３Ｂ，１３Ｃに挿通するための孔の加工や複雑な組み付けが不要になるため、その分製造や設計が容易になる。
【００３１】
（第４の実施形態）
図９は、第４の実施形態の分割形静止誘導電器３０１の正面図である。
本実施形態の分割形静止誘導電器３０１は、基本的な構成は第１の実施形態と同様とされている。第１の実施形態と同一部分には共通符号を付して説明を省略する。
本実施形態の分割形静止誘導電器３０１は、第１の実施形態と同様に、各主タンク１３Ａ，１３Ｂ，１３Ｃに主タンク連結ダクト１９が突設され、隣接する主タンク１３Ａ，１３Ｂ，１３Ｃの主タンク連結ダクト１９の先端部同士が接合フランジ１９ａ部分で結合されている。ただし、接合フランジ１９ａ同士は溶接による結合ではなく、ボルト・ナット等の締結部材４０によって結合されている。
【００３２】
第４の実施形態の分割形静止誘導電器２０１は、隣接する主タンク１３Ａ，１３Ｂ，１３Ｃの主タンク連結ダクト１９同士が、脱着が容易な締結部材４０によって結合されているため、設置場所において、容易に組み立てや分解を行うことができる。
【００３３】
以上説明した少なくともひとつの実施形態によれば、複数の主タンクが略直線状に並んで配列され、並び方向で隣接する主タンク同士が主タンク連結ダクトを介して連結され、副タンクが副タンク連結ダクトを介して並び方向の中央領域の主タンクに接続されている。このため、何等かの原因によって絶縁媒体の圧力が急激に上昇したときに、主タンクと副タンクを避圧空間として利用することができ、しかも、付属機器に接続されるタップリードを、主タンクと主タンク連結ダクトの内部にコンパクトに配置できることから、構造の簡素化とコンパクト化を図ることができる。
【００３４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３５】
１…分割形静止誘導電器、１０Ａ，１０Ｂ，１０Ｃ…静止誘導電器本体、１１…鉄心、１２…巻線、１３Ａ，１３Ｂ，１３Ｃ…主タンク、１４…付属機器、１５Ａ，１５Ｂ，１５Ｃ…タップリード、１６…副タンク、１９…主タンク連結ダクト、２０，２１…副タンク連結ダクト、３０Ａ，３０Ｂ…冷媒配管、４０…締結部材。
【図１】
2018056326.tif 000003
【図２】
2018056326.tif 000004
【図３】
2018056326.tif 000005
【図４】
2018056326.tif 000006
【図５】
2018056326.tif 000007
【図６】
2018056326.tif 000008
【図７】
2018056326.tif 000009
【図８】
2018056326.tif 000010
【図９】
2018056326.tif 000011